(57)【要約】【課題】レベラーの施工を不要として住宅施工の基礎工事の容易化を図る。【解決手段】天板２、脚部３及び調整部７を備える基礎構築用補助具１を所定位置に配置し、天板の垂直高さを調整した後に基礎構築用補助具の周囲に型枠を配置して打設空間を形成し、この打設空間にコンクリートを充填する。【選択図】    図１
2004218221.tif 000002
【特許請求の範囲】
【請求項１】
略水平になる様に配設された天板と、該天板に着脱自在に取り付けられた脚部と、前記天板の垂直高さを調整する調整部とを備える基礎構築用補助具を、前記脚部の基端部が捨てコンクリート層に接して前記天板を支持する状態で所定位置に配置する工程と、
前記天板の垂直高さを調整する工程と、
前記基礎構築用補助具の周囲に型枠を配置して打設空間を形成する工程と、
該打設空間にコンクリートを充填する工程とを備えることを特徴とする基礎の構築方法。
【請求項２】
略水平になる様に配設された天板と、
該天板に着脱自在に取り付けられると共に、その基端部が捨てコンクリート層に接して前記天板を支持する脚部と、
前記天板の垂直高さを調整する調整部とを備えることを特徴とする基礎構築用補助具。
【請求項３】
前記天板は、アンカーボルトを挿通する挿通孔が形成されたことを特徴とする請求項２に記載の基礎構築用補助具。
【請求項４】
前記天板は、前記脚部の先端部を天板に形成された挿通孔に挿通せしめた状態で前記脚部の所定位置に取り付けられたことを特徴とする請求項２に記載の基礎構築用補助具。
【発明の詳細な説明】
【０００１】
【発明の属する技術分野】
本発明は、基礎の構築方法及び基礎構築用補助具に関する。詳しくは、住宅施工の基礎工事における基礎の構築方法及び住宅施工の基礎工事に用いる基礎構築用補助具に係るものである。
【０００２】
【従来の技術】
現在、在来の軸組工法やツーバイフォー住宅（枠組壁工法）に用いられている基礎は布基礎とベタ基礎に大別される。
ここで、布基礎は、図６に示す様に、栗石１０１を被覆して形成された捨てコンクリート層１０２の上部に座部１０３と立ち上がり部１０４とを有する断面が略逆Ｔ字形の鉄筋コンクリート製の布基礎１０５が構築され、この布基礎の上部に土台１０６が配置されている。
一方、ベタ基礎は、図７に示す様に、根伐りを行い、栗石を被覆して形成された捨てコンクリート層の上部に座部と立ち上がり部とを有する鉄筋コンクリート製のベタ基礎１０７が構築され、上記の布基礎の場合と同様に、このベタ基礎の上部に土台が配置されている。
【０００３】
ここで基礎は、概ね下半分が地中に埋入され、基礎の立ち上がり部にはアンカーボルト１０８が、その上端部１０９が立ち上がり部の頂面から突出する様に埋入されている。
また、アンカーボルトは、基礎の長手方向に所定間隔をおいて多数本列設されており、基礎を構築した後に土台に形成された孔部１１０にアンカーボルトの上端部を挿通して土台が基礎の上部に配置され、ナットで締結される。なお、図６及び図７中符号１１１は根太を示しており、符号１１２は床板を示している。
【０００４】
さて、上記した基礎は図８に示す工程を経て構築される。
即ち、先ず、図８（ａ）で示す様に、捨てコンクリート層の上で組付けた型枠（１）１１３の間に配筋を行うと共にコンクリートを打設することにより基礎の座部を形成する。
【０００５】
続いて、型枠（１）を取り外し、図８（ｂ）で示す様に、座部の上で組付けた型枠（２）１１４の間に配筋を行うと共に立ち上がり部にアンカーボルトを埋入せしめた状態でコンクリートを打設することにより基礎の立ち上がり部を形成する。なお、以下に述べるレベラーの施工を考慮してコンクリートの打設に際しては、基礎の立ち上がり部の上端部レベルまではコンクリートを打設しない。
【０００６】
次に、基礎の立ち上がり部の上端部の平坦化を図り、基礎の上部に配置される土台を水平に保つために、コンクリートの硬化後に、液状近くになるまで軟らかくしたセメント比率の高いコンクリートであるレベラーを施工する。なお、レベラー施工の際には、先ず、図９（ａ）で示す様に、所定の打ち込みレベルを示す図９中符号Ａで示す位置の近くである図９中符号Ｂで示す位置まで打ち込まれ、埋設する釘が所定の位置を保持できる程度にまで硬化したコンクリートに、図９（ｂ）で示す様に、頭部が打ち込みレベル、即ち図９中符号Ａで示す位置となる様に多数の釘１１５を埋設し、続いて、図９（ｃ）で示す様に、釘の頭部で示される所定のレベルまで釘の頭部を目安としてレベラー１１６を流し込むことによって基礎の立ち上がり部の上端部の平坦化を図る。
【０００７】
その後、型枠（２）が取り外されることにより図８（ｃ）で示す様に、基礎が構築される。
【０００８】
ここで、上記した基礎工事におけるレベラー施工の際に、単に多数の釘を埋設するという方法では、釘の各々の頭部を所定レベルに位置させることが困難であると共に、例え釘の埋設時には所定レベルに位置させることができたとしても、時間の経過に伴い、即ちレベラーを施工するまでに釘の沈下あるいは傾きが生じて所定のレベルを正確に示し得ない等の問題があり、かかる問題に対して、基礎の立ち上がり部の上端部の平坦化の高精度化を実現すべく、図１０に示す様な、長手棒状の補助具本体１１７に、その上端部に開口する受ネジ穴１１８を具備し、受ネジ穴に調整ネジ体１１９を進退可能に螺合させると共に、補助具本体の上部及び下部に上羽根部１２０及び下羽根部１２１が付設された天端出し補助具が提案されている（例えば、特許文献１参照。）。
【０００９】
【特許文献１】
特開平７−１８９４８９号公報（第２−４頁、第４図）
【００１０】
【発明が解決しようとする課題】
しかしながら、上記した天端出し補助具を用いたとしても、レベラーの施工は数ミリオーダーの精度が要求されるため作業工程が極めて困難であった。また、レベラーはその材料費がかさむために低コストでの基礎の構築の障害の一因となっていた。
【００１１】
本発明は、以上の点に鑑みて創案されたものであって、レベラーの施工を不要として住宅施工の基礎工事の容易化を図ることを目的とするものである。
【００１２】
【課題を解決するための手段】
上記の目的を達成するために、本発明に係る基礎の構築方法は、略水平になる様に配設された天板と、該天板に着脱自在に取り付けられた脚部と、前記天板の垂直高さを調整する調整部とを備える基礎構築用補助具を、前記脚部の基端部が捨てコンクリート層に接して前記天板を支持する状態で所定位置に配置する工程と、前記天板の垂直高さを調整する工程と、前記基礎構築用補助具の周囲に型枠を配置して打設空間を形成する工程と、該打設空間にコンクリートを充填する工程とを備える。
【００１３】
また、上記の目的を達成するために、本発明に係る基礎構築用補助具は、略水平になる様に配設された天板と、該天板に着脱自在に取り付けられると共に、その基端部が捨てコンクリート層に接して前記天板を支持する脚部と、前記天板の垂直高さを調整する調整部とを備える。
【００１４】
【発明の実施の形態】
以下、本発明の実施の形態を図面を参照しながら説明し、本発明の理解に供する。
【００１５】
図１に本発明を適用した基礎構築用補助具の一例を説明するための斜視図を示す。ここで示す基礎構築用補助具１は水平になる様に配設された天板２と天板に着脱自在に取り付けられた脚部３とから成り、天板には隆起部４が形成されると共に天板を脚部に取り付けるための孔部５及びアンカーボルトを挿通するための挿通孔６が形成されている。また、脚部には天板の垂直高さを調整するアジャスター７及びアジャスターより上部に脚部同士を連結する連結部材８が形成され、脚部の基端にはプラスチック製の脚部基端部９が形成されている。
なお、天板の下側に配置された脚部に形成された雌ねじ１０と、天板の上側から天板に形成された孔部を介して挿入された雄ねじ１１とが螺合することによって、天板は脚部に取り付けられている。
【００１６】
ここで、天板はその下面が水平となる様に配設されることにより、基礎の立ち上がり部の平坦化を図ることができれば充分であり、必ずしも天板に隆起部が形成される必要は無いが、天板の強度の向上を図り天板の変形を抑制することによって、より高精度に基礎の立ち上がり部の平坦化を可能とすべく隆起部が形成された方が好ましい。
なお、天板の板厚を大きくすることにより天板の強度の向上を図る方法も考えられるが、天板はコンクリートの打設後に取り外される必要があり、板厚を大きくすることに伴い天板の重量も大きくなり、作業性が悪化することも考え得るために、隆起部が形成されることにより天板の強度の向上を図る方が好ましいと考えられる。
【００１７】
また、連結部材は、コンクリートを打設した際に、脚部のみではコンクリートとの接触面積が小さいために、コンクリートとの接触面積を増加させてコンクリートから基礎構築用補助具の引き抜けを防止するために形成されたものであり、コンクリートと脚部との接触面積を増加させることによって引き抜けを防止することができれば充分であって、必ずしも脚部同士を連結する必要は無い。なお、連結部材を設けない場合であっても引き抜けを防止することが可能である場合には必ずしも連結部材が形成される必要は無いが、より一層充分にコンクリートからの基礎構築用補助具の引き抜けを防止すべく連結部材が形成された方が好ましい。
【００１８】
以下、上記した本発明を適用した基礎構築用補助具の一例を用いて行う布基礎の構築方法について説明する。即ち、本発明を適用した基礎の構築方法の一例を説明する。
【００１９】
本発明を適用した基礎の構築方法の一例では、先ず、図２（ａ）で示す様に、基礎構築用補助具の脚部基端部が、栗石を被覆して形成された捨てコンクリート層に接して天板を支持する状態で基礎構築用補助具を所定位置に配置し、天板の垂直高さが所定の高さとなるようにアジャスターで調整を行う。
【００２０】
次に、図２（ｂ）で示す様に、天板に形成された挿通孔にアンカーボルト１２を挿通し、アンカーボルトの先端部が天板から土台を取り付けるための所定の長さが突出した状態でアンカーボルトを天板に取り付ける。
【００２１】
続いて、図２（ｃ）で示す様に、基礎構築用補助具の周囲に型枠１３を組付けて打設空間１４を形成し、組付けた型枠の間に配筋を行うと共にコンクリートを打設した後に、型枠及び天板を取り外すことによって、図２（ｄ）で示す様な基礎を構築することができる。
【００２２】
なお、上記した基礎の構築方法では、一体打ち、即ち、捨てコンクリート層の上で型枠を組付けた後、型枠の間に配筋を行うと共にコンクリートを打設することによって、基礎の座部及び立ち上がり部を一体的に形成する基礎の構築方法を例に挙げて説明を行ったが、基礎は必ずしも一体打ちで構築しなければならないというものでは無く、上記した従来の基礎の構築方法の様に、先ず、基礎の座部を形成し、続いて基礎の立ち上がり部を形成しても構わない。
【００２３】
また、上記した基礎の構築方法では、布基礎を構築する方法を例に挙げて説明を行ったが、ベタ基礎を構築する場合も同様である。
【００２４】
本発明を適用した基礎構築用補助具の一例では、基礎構築用補助具を所定の位置に配置し天板の垂直高さを調整した後に天板の下方にコンクリートを打設して基礎を構築するために、コンクリートを打設した時点で基礎の立ち上がり部の平坦化が図れ、レベラーの施工が不要となり基礎を構築する工程が極めて簡単になる。
【００２５】
図３に本発明を適用した基礎構築用補助具の他の一例を説明するための斜視図を示す。ここで示す基礎構築用補助具は水平になる様に配設された天板と天板に着脱自在に取り付けられた脚部とから成り、天板には隆起部が形成されると共に脚部を挿通するための挿通孔が形成されている。また、上記した本発明を適用した基礎構築用補助具の一例と同様に、脚部には天板の垂直高さを調整するアジャスター及びアジャスターより上部に脚部同士を連結する連結部材が形成され、脚部の基端にはプラスチック製の脚部基端部が形成されている。
なお、天板に形成された挿通孔に脚部を挿通し、脚部の先端部が天板から土台を取り付けるための所定の長さが突出した状態で脚部に天板を取り付けるべく、脚部の所定位置にナット１５を取り付け、２つのナットで天板を挟み込むことによって脚部に天板が取り付けられている。
【００２６】
ここで、脚部の先端部が天板から土台を取り付けるための所定の長さが突出した状態で脚部に天板が取り付けられていれば充分であり、必ずしも２つのナットで天板を挟み込むことによって脚部に天板が取り付けられる必要は無く、例えば、図４で示す様に、脚部先端部の径が小さく形成され、脚部の小径部分を挿通孔に挿通せしめ、脚部の大径部分とナットで天板を挟み込むことによって脚部に天板が取り付けられる様な構成であっても構わない。
【００２７】
また、必ずしも天板に隆起部が形成される必要は無いが、天板の強度の向上を図り天板の変形を抑制することによって、より高精度に基礎の立ち上がり部の平坦化を可能とすべく隆起部が形成された方が好ましい点、天板の板厚を大きくすることにより天板の強度の向上を図る方法よりも、隆起部が形成されることにより天板の強度の向上を図る方が好ましいと考えられる点、コンクリートから基礎構築用補助具の引き抜けを防止することができるのであれば必ずしも脚部同士を連結する必要が無い点及び連結部材を設けない場合であっても引き抜けを防止することが可能である場合には必ずしも連結部材が形成される必要は無いが、より一層充分にコンクリートからの基礎構築用補助具の引き抜けを防止すべく連結部材が形成された方が好ましい点は上記した本発明を適用した基礎構築用補助具の一例と同様である。
【００２８】
以下、上記した本発明を適用した基礎構築用補助具の他の一例を用いて行う布基礎の構築方法について説明する。即ち、本発明を適用した基礎の構築方法の他の一例を説明する。
【００２９】
本発明を適用した基礎の構築方法の他の一例では、先ず、図５（ａ）で示す様に、基礎構築用補助具の脚部基端部が、栗石を被覆して形成された捨てコンクリート層に接して天板を支持する状態で基礎構築用補助具を所定位置に配置し、天板の垂直高さが所定の高さとなるようにアジャスターで調整を行う。
【００３０】
続いて、図５（ｂ）で示す様に、基礎構築用補助具の周囲に型枠を組付けて打設空間を形成し、組付けた型枠の間に配筋を行うと共にコンクリートを打設した後に、型枠及び天板を取り外すことによって、図５（ｃ）で示す様な基礎を構築することができる。
【００３１】
なお、上記した基礎の構築方法では、一体打ちにより基礎を構築する方法を例に挙げて説明を行ったが、先ず、基礎の座部を形成し、続いて基礎の立ち上がり部を形成しても構わない点及びベタ基礎を構築する場合も同様の工程であるという点は上記した本発明を適用した基礎の構築方法の一例と同様である。
【００３２】
本発明を適用した基礎構築用補助具の他の一例では、上記した本発明を適用した基礎構築用補助具の一例と同様に、コンクリートを打設した時点で基礎の立ち上がり部の平坦化が図れ、レベラーの施工が不要となり基礎を構築する工程が極めて簡単になる。
また、本発明を適用した基礎構築用補助具の他の一例では、脚部がアンカーボルトの役割をも兼ねるためにアンカーボルトを取り付ける必要も無い。
【００３３】
【発明の効果】
以上述べてきた如く、本発明の基礎の構築方法及び基礎構築用補助具では、レベラーの施工を不要として住宅施工の基礎工事の容易化を図ることができる。
【図面の簡単な説明】
【図１】本発明を適用した基礎構築用補助具の一例を説明するための斜視図である。
【図２】本発明を適用した基礎構築方法の一例を説明するための斜視図である。
【図３】本発明を適用した基礎構築用補助具の他の一例を説明するための斜視図である。
【図４】本発明を適用した基礎構築用補助具の他の一例の変形例を説明するための斜視図である。
【図５】本発明を適用した基礎構築方法の他の一例を説明するための斜視図である。
【図６】従来の基礎（布基礎）の模式的な断面図である。
【図７】従来の基礎（ベタ基礎）の模式的な断面図である。
【図８】従来の基礎の構築方法を説明するための模式的な断面図である。
【図９】従来のレベラー施工を説明するための模式的な断面図である。
【図１０】従来の天端出し補助具の斜視図である。
【符号の説明】
１    基礎構築用補助具
２    天板
３    脚部
４    隆起部
５    孔部
６    挿通孔
７    アジャスター
８    連結部材
９    脚部基端部
１０    雌ねじ
１１    雄ねじ
１２    アンカーボルト
１３    型枠
１４    打設空間
１５    ナット
【図１】
2004218221.tif 000003
【図２】
2004218221.tif 000004
【図３】
2004218221.tif 000005
【図４】
2004218221.tif 000006
【図５】
2004218221.tif 000007
【図６】
2004218221.tif 000008
【図７】
2004218221.tif 000009
【図８】
2004218221.tif 000010
【図９】
2004218221.tif 000011
【図１０】
2004218221.tif 000012